【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１レンズ群と正の屈折力を有する第２レンズ群とを有し、前記第１レンズ群と前記第２レンズ群との空気間隔を変化させることによって変倍するズームレンズにおいて、
前記第１レンズ群は、物体側から順に、１枚または２枚の負レンズのみからなる負レンズ群と、物体側に凸面を向けた正レンズとを有し、
前記第１レンズ群を構成する全てのレンズ面は球面又は平面であり、
前記第１レンズ群中の１枚または２枚の前記負レンズのみからなる前記負レンズ群のｄ線に対する屈折率の平均値をＮn、前記第１レンズ群の焦点距離をｆ1、前記ズームレンズ全系の広角端状態の焦点距離をｆw、前記ズームレンズ全系の望遠端状態の焦点距離をｆtとそれぞれした時、
（１） １．４ ≦ Ｎn≦ １．６２１
【数１】
（２） ０．７ ≦ ｜ｆ1｜／（ｆw・ｆt）1/2 ≦ １．１５
の条件を満足することを特徴とするズームレンズ。
【請求項２】
前記第１レンズ群中の１枚または２枚の前記負レンズのみからなる前記負レンズ群を構成する各ガラス材料の比重の平均値をＳＧとした時、
（３） １．９ ≦ ＳＧ ≦ ４
の条件を満足することを特徴とする請求項１記載のズームレンズ。
【請求項３】
物体側から順に、負の屈折力を有する第１レンズ群と正の屈折力を有する第２レンズ群を有し、前記第１レンズ群と前記第２レンズ群との空気間隔を変化させることによって変倍するズームレンズにおいて、
前記第１レンズ群は、物体側から順に、１枚または２枚の負レンズのみからなる負レンズ群と物体側に凸面を向けた正レンズとを有し、
前記第２レンズ群は物体側から順に、２枚の正レンズと１枚の負レンズと１枚の正レンズとを有し、
前記第１レンズ群中の１枚または２枚の前記負レンズのみからなる前記負レンズ群のｄ線に対する屈折率の平均値をＮnとした時、
（１） １．４ ≦ Ｎn≦ １．６２１
の条件を満足することを特徴とするズームレンズ。
【請求項４】
前記第１レンズ群の焦点距離をｆ１、前記ズームレンズ全系の広角端状態の焦点距離をｆｗ、前記ズームレンズ全系の望遠端状態の焦点距離をｆｔとそれぞれしたとき、
（２） ０．７ ≦ ｜ｆ1｜／（ｆw・ｆt）1/2 ≦ １．１５
の条件を満足することを特徴とする請求項３記載のズームレンズ。
【請求項５】
物体側から順に、負の屈折力を有する第１レンズ群と正の屈折力を有する第２レンズ群を有し、前記第１レンズ群と前記第２レンズ群との空気間隔を変化させることによって、変倍するズームレンズにおいて、
前記第１レンズ群は、物体側から順に、１枚または２枚の負レンズのみからなる負レンズ群と物体側に凸面を向けた正レンズとを有し、
前記第２レンズ群は、物体側から順に、２枚の正レンズと１枚の負レンズと１枚の正レンズとを有し、
前記第１レンズ群中の１枚または２枚の前記負レンズのみからなる前記負レンズ群を構成するレンズの各ガラス材料の比重の平均値をＳＧとした時、
（３） １．９ ≦ ＳＧ ≦ ４
の条件を満足することを特徴とするズームレンズ。
【請求項６】
前記第１レンズ群の焦点距離をｆ１、前記ズームレンズ全系の広角端状態の焦点距離をｆｗ、前記ズームレンズ全系の望遠端状態の焦点距離をｆｔとそれぞれしたとき、
（２） ０．７ ≦ ｜ｆ1｜／（ｆw・ｆt）1/2 ≦ １．１５
の条件を満足することを特徴とする請求項５記載のズームレンズ。
【請求項７】
前記第１レンズ群の前記負レンズ群は、メニスカス形状の負レンズを有することを特徴とする請求項１から６のいずれか１項に記載のズームレンズ。
【請求項８】
前記第１レンズ群の負レンズ群は、物体側から順に、負レンズＬ１ａ、負レンズＬ１ｂとを有し、
前記負レンズＬ１ａはメニスカス形状であり、
前記負レンズＬ１ｂは両凹形状のレンズであることを特徴とする請求項１から７のいずれか１項に記載のズームレンズ。
【請求項９】
前記第１レンズ群の正レンズは、メニスカス形状であることを特徴とする請求項１から８のいずれか１項に記載のズームレンズ。
【請求項１０】
前記第２レンズ群は、物体側から順に、正レンズＬ２１、正レンズＬ２２、負レンズＬ２３、正レンズＬ２４を有していることを特徴とする請求項１から９のいずれか１項に記載のズームレンズ。
【請求項１１】
前記第２レンズ群は、物体側から順に、正レンズＬ２１、開口絞り、正レンズＬ２２、負レンズＬ２３、正レンズＬ２４を有することを特徴とする請求項１から１０のいずれか１項に記載のズームレンズ。
【請求項１２】
前記第２レンズ群は、物体側から順に、正レンズＬ２１、正レンズＬ２２、開口絞り、負レンズＬ２３、正レンズＬ２４を有することを特徴とする請求項１から１０のいずれか１項に記載のズームレンズ。
【請求項１３】
最も像側に固定絞りを有することを特徴とする請求項１から１２のいずれか１項に記載のズームレンズ。
【請求項１４】
前記第１レンズ群が移動することにより近距離合焦を行うことを特徴とする請求項１から１３のいずれか１項に記載のズームレンズ。
【手続補正２】
【補正対象書類名】明細書
【補正対象項目名】００１０
【補正方法】変更
【補正の内容】
【００１０】
また、本発明にかかるズームレンズは、前記第１レンズ群の焦点距離をｆ１、前記ズームレンズ全系の広角端状態の焦点距離をｆｗ、前記ズームレンズ全系の望遠端状態の焦点距離をｆｔとそれぞれしたとき、
（２） ０．７ ≦ ｜ｆ1｜／（ｆw・ｆt）1/2 ≦ １．１５
の条件を満足することが望ましい。
また、本発明は、物体側から順に、負の屈折力を有する第１レンズ群と正の屈折力を有する第２レンズ群を有し、前記第１レンズ群と前記第２レンズ群との空気間隔を変化させることによって、変倍するズームレンズにおいて、前記第１レンズ群は、物体側から順に、１枚または２枚の負レンズのみからなる負レンズ群と物体側に凸面を向けた正レンズとを有し、前記第２レンズ群は、物体側から順に、２枚の正レンズと１枚の負レンズと１枚の正レンズとを有し、前記第１レンズ群中の１枚または２枚の前記負レンズからなる前記負レンズ群を構成するレンズの各ガラス材料の比重の平均値をＳＧとした時、
（３） １．９ ≦ ＳＧ ≦ ４
の条件を満足することを特徴とするズームレンズを提供する。
また、本発明にかかるズームレンズは、前記第１レンズ群の前記負レンズ群は、メニスカス形状の負レンズを有することが望ましい。
また、本発明にかかるズームレンズでは、前記第１レンズ群の負レンズ群は、物体側から順に、負レンズＬ１ａ、負レンズＬ１ｂとを有し、前記負レンズＬ１ａはメニスカス形状であり、前記負レンズＬ１ｂは両凹形状のレンズであることが望ましい。
また、本発明にかかるズームレンズでは、前記第１レンズ群の正レンズは、メニスカス形状であることが望ましい。
また、本発明にかかるズームレンズでは、前記第２レンズ群は、物体側から順に、正レンズＬ２１、正レンズＬ２２、負レンズＬ２３、正レンズＬ２４を有していることが望ましい。
また、本発明にかかるズームレンズでは、前記第２レンズ群は、物体側から順に、正レンズＬ２１、開口絞り、正レンズＬ２２、負レンズＬ２３、正レンズＬ２４を有することが望ましい。
また、本発明にかかるズームレンズでは、前記第２レンズ群は、物体側から順に、正レンズＬ２１、正レンズＬ２２、開口絞り、負レンズＬ２３、正レンズＬ２４を有することが望ましい。
また、本発明にかかるズームレンズは、最も像側に固定絞りを有することが望ましい。
また、本発明にかかるズームレンズは、前記第１レンズ群が移動することにより近距離合焦を行うことが望ましい。
【００４８】